(57)【要約】【課題】ウェットシート包装体内のウェットシートの残量が少なくなった場合でもウェットシートを１枚ずつ取り出しやすいウェットシート包装体を提供する。【解決手段】開口部ＡＰを有する袋状の袋本体１と、開口部ＡＰを開閉自在に覆う蓋材２とを備え、内部にウェットシートＰが複数枚積層された状態で収納され、開口部ＡＰからウェットシートが１枚ずつ取り出されて使用されるウェットシート包装体において、袋本体１の長手方向の一端、若しくは、両端の近傍部分に設けられ、積層された最上面のウェットシートと開口部ＡＰとを近接させる際に生じる袋本体１の余剰部分の内容積を減少させて近接状態を維持する固定部材を備える。【選択図】図１
2014196112.tif 000002
【特許請求の範囲】
【請求項１】
開口部を有する袋状の袋本体と、前記開口部を開閉自在に覆う蓋材と、を備え、内部にウェットシートが複数枚積層された状態で収納され、前記開口部からウェットシートが１枚ずつ取り出されて使用されるウェットシート包装体において、
前記袋本体の長手方向の一端、若しくは、両端の近傍部分に設けられ、積層された最上面のウェットシートと前記開口部とを近接させる際に生じる前記袋本体の余剰部分の内容積を減少させて前記近接状態を維持する固定部材
を備えることを特徴とするウェットシート包装体。
【請求項２】
前記固定部材は、
前記余剰部分を折り曲げて前記袋本体の他の部分に固定するためのシールであることを特徴とする請求項１に記載のウェットシート包装体。
【請求項３】
前記シールは、再接着可能であることを特徴とする請求項２に記載のウェットシート包装体。
【請求項４】
前記固定部材は、
前記余剰部分を重ね合わせて固定するためのファスナーであることを特徴とする請求項１に記載のウェットシート包装体。
【請求項５】
前記固定部材は、
前記余剰部分を重ね合わせて固定するためのボタンであることを特徴とする請求項１に記載のウェットシート包装体。
【発明の詳細な説明】
【技術分野】
【０００１】
本発明は、ウェットシート包装体に関する。
【背景技術】
【０００２】
従来、水分、アルコールや液体の薬剤を含有させたウェットティシューなどのウェットシートを収納する袋状の包装体が知られている。一般に、上記包装体は、再接着可能なシール状の蓋材を備え、未使用時にはこの蓋材を取出口としての開口部の周縁に接着させて開口部を塞ぐことができるようになっている。
【０００３】
また、ウェットシート包装体の取出口が、当該取出口を通過するウェットシートに対して横面内で絞り効果を有する構造にすることにより、ポップアップ式に１枚ずつ連続して取り出すことが可能なウェットシート包装体が開示されている（例えば、特許文献１参照）。
【先行技術文献】
【特許文献】
【０００４】
【特許文献１】特開平０８−１９８３５０号公報
【発明の概要】
【発明が解決しようとする課題】
【０００５】
しかしながら、特許文献１に記載されたウェットシート包装体では、ウェットシート包装体の取出口が、当該取出口を通過するウェットシートに対して横面内で絞り効果を有する構造となっているものの、ウェットシートを使用してウェットシートの残量が少なくなった場合には、ウェットシート包装体内に使用したウェットシートの体積に応じた空間が生じることになる。
【０００６】
ウェットシート包装体内にウェットシートの体積に応じた空間が生じることに起因して、ウェットシート包装体とウェットシートとの間の抵抗が小さくなり、ウェットシートが連なって出てきて取り出しにくくなるといった問題点があった。
【０００７】
本発明の課題は、ウェットシート包装体内のウェットシートの残量が少なくなった場合でもウェットシートを１枚ずつ取り出しやすいウェットシート包装体を提供することにある。
【課題を解決するための手段】
【０００８】
前記課題を解決するために、請求項１記載の発明は、
開口部を有する袋状の袋本体と、前記開口部を開閉自在に覆う蓋材と、を備え、内部にウェットシートが複数枚積層された状態で収納され、前記開口部からウェットシートが１枚ずつ取り出されて使用されるウェットシート包装体において、
前記袋本体の長手方向の一端、若しくは、両端の近傍部分に設けられ、積層された最上面のウェットシートと前記開口部とを近接させる際に生じる前記袋本体の余剰部分の内容積を減少させて前記近接状態を維持する固定部材
を備えることを特徴とする。
【０００９】
請求項２記載の発明は、請求項１に記載のウェットシート包装体において、前記固定部材は、前記余剰部分を折り曲げて前記袋本体の他の部分に固定するためのシールであることを特徴とする。
【００１０】
請求項３記載の発明は、請求項２に記載のウェットシート包装体において、前記シールは、再接着可能であることを特徴とする。
【００１１】
請求項４記載の発明は、請求項１に記載のウェットシート包装体において、前記固定部材は、前記余剰部分を重ね合わせて固定するためのファスナーであることを特徴とする。
【００１２】
請求項５記載の発明は、請求項１に記載のウェットシート包装体において、前記固定部材は、前記余剰部分を重ね合わせて固定するためのボタンであることを特徴とする。
【発明の効果】
【００１３】
本発明によれば、固定部材により、袋本体の長手方向の両端を互いに外側に引っ張ること等により生じる余剰部分の内容積を絞って積層された最上面のウェットシートと開口部が設けられた袋本体の上部との間隔を狭くした状態を維持することができるので、袋本体から抵抗を受けてウェットシートを１枚ずつ分離することができ、ウェットシート包装体内のウェットシートの残量が少なくなった場合でもウェットシートを１枚ずつ取り出すことができる。
【図面の簡単な説明】
【００１４】
【図１】実施形態のウェットシート包装体の一例を示す平面図及び断面図である。
【図２】ウェットシート包装体内に生じた空間によるウェットシートの連なりを説明する断面図である。
【図３】実施形態のウェットシート包装体における積層された最上面のウェットシートと袋本体の上部との近接状態の維持を説明する平面図及び断面図である。
【図４】実施形態のウェットシート包装体における積層された最上面のウェットシートと袋本体の上部との近接状態の維持を説明する平面図及び断面図である。
【図５】変形例１のウェットシート包装体の一例を示す平面図及び断面図である。
【図６】変形例２のウェットシート包装体の一例を示す平面図及び断面図である。
【発明を実施するための形態】
【００１５】
以下、図面を参照しつつ、本発明の実施形態であるウェットシート包装体を詳細に説明する。但し、発明の範囲は、図示例に限定されない。
【００１６】
（実施形態）
本発明の実施形態のウェットシート包装体について、図１に基づいて説明する。図１はウェットシート包装体１００の平面図（ａ）及び短手方向中心線における断面図（ｂ）である。
【００１７】
ウェットシート包装体１００は、図１に示すように、ウェットシートＰを複数枚積層された状態で収納すると共に、上部に当該ウェットシートを１枚ずつ取り出すための開口部ＡＰを有する袋状の袋本体１と、袋本体１の上部に設けられ、開口部ＡＰを開閉自在に覆う再接着可能なシール状の蓋材２とを備えている。
また、袋本体１の長手方向の両端（長手方向の両側面の中央部分）部分から長手方向中央部に向かって所定の幅の部分には、再接着が可能な接着剤ＧＬが塗布され、袋本体１の裏面側に折り曲げて固定されており、このような接着剤ＧＬが塗布された端部は、当該端部を袋本体１の他の部分に固定することにより、積層された最上面のウェットシートと開口部ＡＰが設けられた袋本体１の上部との間隔を維持する固定部材として機能することになる。
【００１８】
ウェットシート包装体１００の袋本体１は、シート材により袋状に構成されている。シート材としては、例えば、ＰＰ（ポリプロピレン（polypropylene））、ＰＥ（ポリエチレン（polyethylene））、ＰＥＴ（ポリエチレンテレフタラート（Polyethylene terephthalate））等の合成樹脂シートの単材又は複合材、或いは、これら合成樹脂シートとアルミフォイル、紙等を張り合わせた複合シート等を使用することができる。なお、袋本体１を構成するシート材には、液密性又は気密性を有するシート材を用いるのが好ましい。
【００１９】
また、ウェットシート包装体１００の蓋材２は、ＰＰ，ＰＥ，ＰＥＴ等の合成樹脂シートの単材又は複合材、或いはこれら合成樹脂シートとアルミフォイル、紙等を張り合わせた複合シート等を使用することができる。
【００２０】
ここで、ウェットシート包装体１００における積層された最上面のウェットシートと開口部が設けられた袋本体１の上部とを近接させた状態を維持する必要性及びその方法について図２〜図４を用いて説明する。
図２はウェットシート包装体１００の長手方向の断面図であり、図３及び図４はウェットシート包装体における積層された最上面のウェットシートと袋本体の上部とを近接させた状態の維持を説明する平面図（ａ）及び短手方向中心線における断面図（ｂ）である。
【００２１】
図２（ａ）に示す未使用状態では、袋本体１には、ウェットシートＰが一杯に積層されており、開口部（図示せず）からウェットシートＰ１を取り出す際には、積層された最上面のウェットシートＰと、開口部ＡＰが設けられた袋本体１の上部との間には空間が殆ど存在しない。
このため、取り出されるウェットシートＰ１は、袋本体１から抵抗を受けてウェットシートＰが１枚ずつ分離されるので、ウェットシートＰが連なって取り出させることはない。
【００２２】
一方、図２（ｂ）に示すようにある程度ウェットシートＰを使用した（取り出した）場合、積層された最上面のウェットシートＰと、開口部ＡＰが設けられた袋本体１の上部との間には、使用したウェットシートの体積に応じた空間ＳＰが生じることになる。
このような状態で、開口部ＡＰからウェットシートＰ２を取り出すと、袋本体１内の最上面に収納されているウェットシートＰ３は、当該空間ＳＰから何ら抵抗を受けないので、取り出されたウェットシートＰ２に連なった状態で取出口まで出てくることになり、結果としてウェットシートが連なって出てきて取り出しにくくなってしまう。
【００２３】
したがって、本願の課題であるウェットシートを１枚ずつ取り出しやすいウェットシート包装体を提供するためには、ウェットシート包装体１００における積層された最上面のウェットシートと開口部ＡＰが設けられた袋本体１の上部との間隔を狭くして（近接させて）空間ＳＰを減少させる等の必要性がある。
【００２４】
図２（ｂ）に示すようにある程度ウェットシートＰを使用して（取り出して）、ウェットシートが連なって出てきて取り出しにくくなった場合、図３に示すように、袋本体１の端部の再接着可能部分を袋本体１から剥がすと共に、袋本体１の長手方向の両端を互いに外側（矢印ＰＬ）に引っ張る。
これにより、袋本体１が長手方向に伸びて、結果として、最上面に収納されているウェットシートＰと開口部が設けられた袋本体１の上部との間隔が狭くなる。
【００２５】
但し、このままの状態では、伸張部分ＰＴが生じて携帯性が悪くなると共に、次回ウェットシートを取り出す際に、開口部ＡＰに上向きの力が加わり、伸張部分ＰＴの内容積に相当する空間が開口部ＡＰ側に移動して、ウェットシート包装体１００における積層された最上面のウェットシートと開口部ＡＰが設けられた袋本体１の上部との間隔が元に戻る可能性がある。
このため、図３に示すように、伸張部分ＰＴを袋本体１の裏面側に向かって折り曲げて（矢印ＢＥ）伸張部分ＰＴの内容積を減少させると共に、図４に示すように、袋本体１の端部を接着剤ＧＬで袋本体１の裏面に再接着して固定することにより、積層された最上面のウェットシートと開口部ＡＰが設けられた袋本体１の上部との間隔を維持する。また、伸張部分ＰＴを袋本体１に巻き込んで一体化させることにより携帯性を向上させる。
【００２６】
図４においては、袋本体１の端部の再接着可能部分（固定部材）によってウェットシート包装体１００における積層された最上面のウェットシートと開口部が設けられた袋本体１の上部とを近接させた状態が維持され、積層された最上面のウェットシートＰと、開口部が設けられた袋本体１の上部との間の空間ＳＰ２は、図２（ａ）に示す未使用状態に近づくことになり、取り出されるウェットシートＰは、袋本体１から抵抗を受けてウェットシートＰが１枚ずつ分離されるので、ウェットシートＰが連なって取り出させることがなくなる。
【００２７】
表１は、ウェットシート包装体１００の連なり回数試験の結果を示す表であり、取り出し枚数が４１枚目の時点で、上述のように、ウェットシート包装体１００における積層された最上面のウェットシートと開口部が設けられた袋本体１の上部との間隔を狭くした（近接させた）場合（実施例）と、未実施の場合（比較例）とを対比して試験したものである。
すなわち、表１における網掛け部分が、使用したウェットシートの体積に応じた空間ＳＰが生じた後、ウェットシート包装体１００における積層された最上面のウェットシートと開口部が設けられた袋本体１の上部との間隔を狭くした（近接させた）場合の試験結果となる。
【００２８】
【表１】
2014196112.tif 000003
実施条件
紙質：スパンレース不織布
坪量：３４ｇ／ｍ2
薬液の含有量：１９５ｇ(７０枚入り、含浸率３４０％)
袋本体：縦  １０．５ｃｍ、横  １８．０ｃｍ、厚さ  ３．７ｃｍ
開口部：縦  １．７ｃｍ、横  ４．５ｃｍ
【００２９】
表１から分かるように、比較例の場合、平均で４．５回、ウェットシートが連なって取り出されたが、ウェットシート包装体１００における積層された最上面のウェットシートと開口部が設けられた袋本体１の上部との間隔を狭くした実施例の場合には、ウェットシートが連なって取り出されることは、平均で１．８と大幅に減少した。
すなわち、ウェットシート包装体１００における積層された最上面のウェットシートと開口部が設けられた袋本体１の上部との間隔を狭くすることが有効であることが分かる。
【００３０】
また、表１において、１〜７０枚取り出した場合の全体平均であっても、比較例の場合はウェットシートが連なって取り出されるのは、１９．３回なのに対して、ウェットシート包装体１００における積層された最上面のウェットシートと開口部が設けられた袋本体１の上部との間隔を狭くした実施例の場合は、１１．７回と改善されていることが分かる。
【００３１】
なお、袋本体１の端部は再接着可能であるので、袋本体１の端部を剥がして、ウェットシート包装体１００における積層された最上面のウェットシートと開口部が設けられた袋本体１の上部との間隔の調整を何度でも行なうことができるので、使用により空間が生じた場合のみならず、積層された最上面のウェットシートと、開口部が設けられた袋本体１の上部との間の空間を適宜調整でき、ウェットシートを確実に１枚ずつ取り出すことができる。
【００３２】
以上のように、本発明の実施形態では、袋本体１の長手方向の両端を互いに外側に引っ張ることにより生じる伸張部分ＰＴの内容積を絞って積層された最上面のウェットシートと開口部ＡＰが設けられた袋本体１の上部との近接状態を維持する固定部材である再接着可能な袋本体１の端部を備えることにより、積層された最上面のウェットシートと開口部が設けられた袋本体１の上部との間の空間が減少するので、袋本体１から抵抗を受けてウェットシートを１枚ずつ分離することができ、ウェットシートを１枚ずつ取り出すことができる。
また、固定部材である際接着可能な袋本体１の端部により、伸張部分ＰＴを袋本体１に巻き込んで一体化して固定することにより、余分な部分が減少するので、携帯性を向上させることもできる。
【００３３】
（変形例１）
本発明の実施形態の変形例１について、図５に基づいて説明する。図５は変形例１のウェットシート包装体の一例を示す平面図（ａ）及び短手方向中心線における断面図（ｂ）である。
【００３４】
図５に示すように、袋本体１の長手方向の両端の近傍部分には固定部材であるレール状のファスナー３が短手方向に沿って設けられている。具体的に、ファスナー３は、保冷バック、食品保存用の小袋や洗面道具入れ等の開口部に設けられるポリ塩化ビニル製等のレールファスナー等である。
袋本体１の長手方向の両端を互いに外側（矢印ＰＬ）に引っ張ることにより、最上面に収納されているウェットシートＰと開口部ＡＰが設けられた袋本体１の上部との間隔を狭くして、レール状のファスナー３のレールを互いに噛み合わせて固定することにより、袋本体１の伸張部分ＰＴが重ね合わされて、伸張部分ＰＴの内容積が絞られ、ウェットシート包装体１００における積層された最上面のウェットシートと開口部ＡＰが設けられた袋本体１の上部との近接状態を維持することができる。
【００３５】
以上のように、変形例１によれば、袋本体１の長手方向の両端を互いに外側に引っ張ることにより生じる伸張部分ＰＴの内容積を絞って積層された最上面のウェットシートと開口部ＡＰが設けられた袋本体１の上部との近接状態を維持する固定部材としてファスナー３を設けることにより、積層された最上面のウェットシートと開口部ＡＰが設けられた袋本体１の上部との間の空間が減少するので、袋本体１から抵抗を受けてウェットシートを１枚ずつ分離することができ、ウェットシートを１枚ずつ取り出すことができる。
【００３６】
（変形例２）
本発明の実施形態の変形例２について、図６に基づいて説明する。図６は変形例２のウェットシート包装体の一例を示す平面図（ａ）及び短手方向中心線における断面図（ｂ）である。
【００３７】
図６に示すように、袋本体１の長手方向の両端の近傍部分には固定部材であるボタン５が設けられている。
袋本体１の長手方向の両端を互いに外側（矢印ＰＬ）に引っ張ることにより、最上面に収納されているウェットシートＰと開口部ＡＰが設けられた袋本体１の上部との間隔を狭くして、ボタン５を嵌め合わせて固定することにより、袋本体１の伸張部分ＰＴが重ね合わされて、伸張部分ＰＴの内容積が絞られ、ウェットシート包装体１００における積層された最上面のウェットシートと開口部ＡＰが設けられた袋本体１の上部との近接状態を維持することができる。
【００３８】
以上のように、変形例１によれば、袋本体１の長手方向の両端を互いに外側に引っ張ることにより生じる伸張部分ＰＴの内容積を絞って積層された最上面のウェットシートと開口部ＡＰが設けられた袋本体１の上部との近接状態を維持する固定部材としてボタン５を設けることにより、積層された最上面のウェットシートと開口部ＡＰが設けられた袋本体１の上部との間の空間が減少するので、袋本体１から抵抗を受けてウェットシートを１枚ずつ分離することができ、ウェットシートを１枚ずつ取り出すことができる。
【００３９】
なお、本発明の実施形態等の説明に際しては、袋本体１の長手方向の両端を互いに外側に引っ張ることにより、最上面に収納されているウェットシートと開口部ＡＰが設けられた袋本体１の上部との間隔を狭くする（近接させる）旨説明しているが、これに限らず、袋本体１の上部を押圧することにより、当該間隔を狭くする（近接させる）ものであっても構わない。
【００４０】
また、固定部材は、当該間隔を近接させる際に生じる余剰部分（伸張部分）の内容積を減少（絞る）させることにより、積層された最上面のウェットシートと開口部ＡＰが設けられた袋本体１の上部との間隔を近接させた状態で維持するものであれは、シール、ファスナー及びボタンに限定されるものではない。
【００４１】
また、本発明の実施形態等の説明に際しては、袋本体１の長手方向の端部に接着剤を塗布することにより固定部材の機能を実現させる旨説明しているが、固定部材として再接着可能なシール等を袋本体１の長手方向の両端に別途設けても構わない。
また、固定部材は、袋本体１の長手方向の両端に設けているが、厳密に両端である必要性はなく、両端の近傍部分であっても構わない。
【００４２】
また、本発明の実施形態等の説明に際しては、固定部材（シール、ファスナー３及びボタン４）としては、袋本体１の長手方向の両端、若しくは、両端の近傍に設けているが、どちらか一端、若しくは、一端の近傍にのみ設けるものであっても構わない。
【符号の説明】
【００４３】
１  袋本体
２  蓋材
３  ファスナー
４  ボタン
ＡＰ  開口部
ＰＴ  伸張部分
Ｐ、Ｐ１、Ｐ２、Ｐ３  ウェットシート
１００  ウェットシート包装体
【図１】
2014196112.tif 000004
【図２】
2014196112.tif 000005
【図３】
2014196112.tif 000006
【図４】
2014196112.tif 000007
【図５】
2014196112.tif 000008
【図６】
2014196112.tif 000009